(57)【要約】【課題】撮像装置において、撮影時に撮影位置情報を画像データに付加することにより、撮影位置情報を用いた画像データ検索を可能にする。また位置データをそのまま扱うのではなく、位置データに対応する見出し文字を登録・利用することにより、利用者にとって扱いやすい撮像装置及び画像データ検索手法を提供することを目的とする。【解決手段】本発明は近距離無線通信機能を有する撮像装置および携帯端末を対象としており、位置データ取得手段及び見出し文字登録・保存手段は携帯端末に存在する。撮影時に撮像装置は携帯端末を介して位置データを取得し、撮影した画像データに位置データを関連付けて保存する。画像データ検索時には、携帯端末において見出し文字を選択、撮像装置で検索し、検索結果のサムネイルを撮像装置から携帯端末へ送信し、携帯端末に結果を表示させる。【選択図】        図１
2004159048.tif 000002
【特許請求の範囲】
【請求項１】
携帯端末と撮像装置が各々近距離無線通信機能を有し、携帯端末において撮影場所のキーワードとなる見出し文字を入力する手段、撮影場所の位置データを取得し、入力した見出し文字と対応付けて携帯端末に保存する手段、撮影時に撮像装置から携帯端末へ位置データの要求があった場合、要求を受けた携帯端末が位置データを取得し、それを撮像装置へ近距離無線通信を用いて送信する手段、撮像装置において携帯端末から位置データが送られてきた場合に、位置データと撮影した画像データを関連付けて記憶媒体に保存する手段を有することを特徴とする撮像システム。
【請求項２】
携帯端末と撮像装置が各々近距離無線通信機能を有し、携帯端末において撮影場所のキーワードとなる見出し文字を入力する手段、撮影場所の位置データを取得し、入力した見出し文字と対応付けて携帯端末に保存する手段、撮像装置の電源をＯＮにした時に撮像装置から携帯端末へ位置データの要求があった場合、要求を受けた携帯端末が位置データを取得し、それを撮像装置へ近距離無線通信を用いて送信する手段、撮像装置において携帯端末から位置データが送られてきた場合に、位置データと撮影した画像データを関連付けて記憶媒体に保存する手段を有することを特徴とする撮像システム。
【請求項３】
携帯端末と撮像装置が各々近距離無線通信機能を有し、携帯端末において撮影場所のキーワードとなる見出し文字を入力する手段、撮影場所の位置データを取得し、入力した見出し文字と対応付けて携帯端末に保存する手段、利用者の位置データ取得操作により撮像装置から携帯端末へ位置データの要求があった場合、要求を受けた携帯端末が位置データを取得し、それを撮像装置へ近距離無線通信を用いて送信する手段、撮像装置において携帯端末から位置データが送られてきた場合に、位置データと撮影した画像データを関連付けて記憶媒体に保存する手段を有することを特徴とする撮像システム。
【請求項４】
撮像装置に位置データと画像データが関連付けて保存されており、その画像データの検索を行う場合、携帯端末において保存されている見出し文字から検索する見出し文字及び検索範囲を選択し、それを撮像装置へ近距離無線通信を用いて送信する手法、撮像装置において撮影位置による画像データ検索を受信した見出し文字及び検索範囲を利用し、その見出し文字に対応する位置データを中心地とし、そこから緯度・経度とも、設定範囲内に存在する画像データを検索結果とする検索手法、撮像装置から携帯端末へ近距離無線通信を用いて検索結果のサムネイルを送信し、携帯端末で表示させる手法を有することを特徴とする撮像システム。
【発明の詳細な説明】
【０００１】
【発明の属する技術分野】
本発明は、近距離無線通信機能を備えた画像撮影装置および、同じく近距離無線通信機能を備え位置情報の取得、見出し文字入力機能を備えた携帯端末において、各装置間で近距離無線通信を用いて画像データ、位置データの送受信を行うことによる、画像データの生成及び画像データと位置データの関連付け手法、また見出し文字と位置データを用いた画像データの検索手法を備えた撮像システムに関するものである。
【０００２】
【従来の技術】
従来、写真をデジタル画像データとしてメモリカード等の記憶媒体に記録する電子スチルカメラ等の撮像装置は、撮影した画像データを簡便に再生表示し、不要な画像データを削除することができる。そのため、利用者は非常に多くの写真を撮影することになり、画像データの整理、管理が複雑になる傾向にある。そこで画像データの検索を容易にするため、撮影日時情報や撮影位置情報等のタグ情報をデジタルデータとして付加する手法が提案されている。
【０００３】
特開２００１−２２８５２８号公報（公開日平成１３年８月２４日）には、付加した撮影位置情報と、あらかじめ作成しておいた位置データに対応する見出し文字のテーブルを用いることにより、見出し文字による画像データ検索手法を有する画像撮像装置が開示されている。
【０００４】
【発明が解決しようとする課題】
画像データの検索において、撮影日時や撮影位置を条件に検索を行うためには、各画像データに撮影日時情報や撮影位置情報が付加されていなければならない。そのためには撮像装置に日時を計算する時計回路や、ＧＰＳ衛星から位置データを受信するＧＰＳ受信部を新たに備える必要がある。
【０００５】
また撮像装置以外のＧＰＳ装置から位置データを得る場合、現段階ではＧＰＳ装置のログデータと撮像装置の撮影日時情報を後で照らし合わせることにより、画像データに位置データを付加する手段を取っている。しかしこの手法では、撮像装置の撮影日時情報が秒単位の正確性を持ち合わせていないため、撮像装置とＧＰＳ装置の同期がうまく計れず、特に撮影者の移動速度が速い場合など各画像データに適切な位置データを割り振ることができない。
【０００６】
画像データの検索手法に関しては、画像データを撮影日時でソートして表示する手法が一般的である。しかし大量の画像データを扱う場合や、撮影日時が曖昧な場合には、撮影日時によるソート表示では目的の画像を手際よく検索するには不十分であり、利用者にとって満足な結果が得られない。
【０００７】
また、特開２００１−２２８５２８号公報に開示されている画像撮像装置では、位置情報を取得するためにＧＰＳ受信部を撮像装置内部に装備する必要があり、製品コストの増加や筐体サイズが大きくなるといった問題がある。また見出し文字を入力するために撮像装置に文字入力用のインターフェイスを新たに備えなければならないという問題も生じる。
【０００８】
【課題を解決するための手段】
そこで本発明は、位置データ取得手段を撮像装置ではなく、携帯端末に持たせることにより、携帯端末へＧＰＳ機能を追加するためのチップの開発は既に行われているため、撮像装置にＧＰＳ機能を持たせるよりも携帯端末にＧＰＳ機能を持たせたほうがコスト及び筐体サイズの問題を軽減することが可能であり、また、携帯端末での文字入力手段はｅ−ｍａｉｌなどの普及により一般的なものとなり、そのためのインターフェイスも整っているため、撮像装置に文字入力手段を持たせるよりも携帯端末を利用したほうが利用者にとってより便利な文字入力手段を提供することを特徴とする。
【０００９】
また、撮影場所のキーワードとなる見出し文字を携帯端末において入力し、それと同時にＧＰＳ衛星から位置データを取得し、見出し文字と位置データの対応テーブルを作成し、携帯端末内に保存する手段と、撮影時に撮影を行う度に撮像装置から携帯端末に位置データを、近距離無線通信を用いて要求・取得する手段により、常に撮影場所の適切な位置データを画像データと関連付けて保存することを特徴とする。
【００１０】
また、画像データと位置データを関連付けて保存する際に、撮像装置の電源がＯＮになった時や、利用者が位置データ取得操作を行った時に、撮像装置から携帯端末に位置データを近距離無線通信を用いて要求・取得するようにさせることも可能である。それにより、撮像装置と携帯端末間の通信回数を減少させ処理負荷を軽減させることを特徴とする。
【００１１】
また画像データの検索は、位置データを用いて行い、検索条件となる位置データを携帯端末内に保存されている見出し文字・位置データ対応テーブルから選択し、撮像装置においてその位置データを中心に、そこから緯度、経度それぞれ利用者が設定した規定値の範囲内にある画像データの検索を行う手段と、検索結果のサムネイルを撮像装置から携帯端末に送信し、携帯端末に表示させる手段により、利用者にとって扱いやすいインターフェイスを提供することを特徴とする。なお、位置データは緯度・経度の代わりに見出し文字・位置データ対応テーブルを利用して、見出し文字を扱うことにより、さらに利用者にとって扱いやすくなるという特徴もある。
【００１２】
【発明の実施の形態】
（実施例１）
以下に本発明の実施例を説明する。
【００１３】
図１は本発明を実施した撮像装置および携帯端末の構成図であり、本実施例ではそれぞれデジタルカメラ及び携帯電話を想定して記載している。図２は、携帯端末（本実施例では携帯電話と記載するが、これは携帯電話に限らず近距離無線通信機能を備えた、ＰＨＳ等のデジタル無線電話や、ＰＤＡ（Ｐｅｒｓｏｎａｌ  ＤｉｇｉｔａｌＡｓｓｉｓｔａｎｔ）、ＰＣなどの機器にも適用可能である）における見出し文字入力機能のフローチャートであり、図３は本発明を実施した撮像装置（本実施例ではデジタルカメラと記載するが、撮像装置はデジタルカメラに限らず、画像データをデジタルデータとして一時保存または保存する手段と、近距離無線通信機能を備えた、全ての機器に適用可能である）における、撮影時の位置データ要求機能のフローチャートである。
【００１４】
図４、図５は本発明の位置データによる画像データ検索のフローチャート及びシーケンスチャートを示す。図６は本発明において携帯電話で見出し文字を入力する際の画面例であり、図７は本発明において携帯電話内に作成される、見出し文字・位置データ対応テーブルを示す。図８はデジタルカメラの記憶媒体のデータ構造を示し、図９は本発明の画像データ検索時において携帯電話での操作画面例を示したものである。
【００１５】
図１において１００は本発明を実施した撮像装置であり、本実施例では近距離無線通信機能を有するデジタルカメラを示し、フラッシュ１０５、モードダイアル１１１、シャッタスイッチ１０６、単写／連写スイッチ１０７、圧縮モードスイッチ１０８、操作部１０９、メインスイッチ１１０、光学ファインダ１０４、通信手段１０２、アンテナ１０３等を筐体各部に装備している。２００は本発明を実施した携帯端末であり、本実施例では近距離無線機能を有する携帯電話を示し、マイク２０１、スピーカ２０２、通信手段２０３、アンテナ２０４、通信手段２０５、アンテナ２０６、通信手段２０９、アンテナ２１０、表示部２０７、操作部２０８等を筐体各部に装備している。
【００１６】
図６において、６０１は携帯電話における見出し文字入力時の画面例を示す。入力には操作部２０８を用いる。
【００１７】
図７は、携帯電話において入力された見出し文字と、その際ＧＰＳ衛星から受信した位置データをもとに作成された、見出し文字・位置データ対応テーブルを示す。この見出し文字・位置データ対応テーブルは、携帯電話内に保存されている。
【００１８】
図８は、デジタルカメラにおいて保存される画像データのデータ構造を示す。大きく分けてヘッダ領域と画像データ記録領域に分けられ、ヘッダ領域には撮影日時や撮影場所などが格納され、画像データ記録領域には撮影によって得られた画像データが記録されている。
【００１９】
図９において、７０２は携帯電話における画像データ検索時の画面例を示す。選択、決定は操作部２０８を用いて行う。
【００２０】
以下に本発明を施した装置の具体的な動作について説明を行う。
【００２１】
始めに携帯電話２００における見出し文字の入力に関して図２のフローチャートに沿って説明を行う。撮影の際、あらかじめ撮影場所のキーワードとなる見出し文字の入力を携帯電話２００の操作部２０８を用いて行う。見出し文字の入力が確定ｓ３０２されると、アンテナ２１０、通信手段２０９を用いてＧＰＳ衛星より現在位置の位置データを取得するｓ３０３。位置データの取得に成功した場合は、入力した見出し文字と取得した位置データから、図７に示す見出し文字・位置データ対応テーブルを作成ｓ３０４し、位置データの取得に失敗した場合は、エラーメッセージと共に後で再度入力を行うよう表示部２０７へ表示ｓ３０５し、終了する。
【００２２】
続いて撮影時における位置データ取得手段及び撮影した画像データと取得した位置データを関連付けて保存する手段について図３をもとに説明を行う。デジタルカメラ１００を用いた撮影において、シャッタスイッチ１０６を押すと撮影ｓ４０１と同時にアンテナ１０３、通信手段１０２を用いて、携帯電話２００に対して撮影場所の位置データを要求ｓ４０２する。アンテナ２０６、通信手段２０５を介して要求を受けた携帯電話２００は、アンテナ２１０、通信手段２０９を用いて、ＧＰＳ衛星から位置データを受信する。受信された位置データは携帯電話２００のアンテナ２０６、通信手段２０５、デジタルカメラ１００のアンテナ１０３、通信手段１０２を介して、デジタルカメラ１００へ送信される。デジタルカメラ１００において位置データの受信ｓ４０３に成功した場合、取得した位置データを図８に示すデータ構造のヘッダ領域に追加ｓ４０４することにより、画像データと位置データを関連付けて保存する。
【００２３】
次に画像データを検索する際の動作について、見出し文字を用いた位置データによる画像データ検索のフローチャート図４と、各ステップがデジタルカメラ１００、携帯電話２００のどちらで実行されるか、また機器間でやりとりされるメッセージを示した図５を用いて説明を行う。
【００２４】
携帯電話２００において、図９に示すように検索する見出し文字を選択ｓ５０１、ｓ６０１し、その後、検索する範囲を設定ｓ５０２、ｓ６０２する。携帯電話２００に蓄積されている見出し文字・位置データ対応テーブルより、選択した見出し文字に対応する位置データを取得ｓ５０３、ｓ６０３し、その位置データと先に設定した検索範囲を、アンテナ２０６、通信手段２０５を介してデジタルカメラ１００へ送信ｓ５０４、ｓ６０４する。アンテナ１０３、通信手段１０２を介して位置データと検索範囲を受信したデジタルカメラ１００は、受信した位置データを中心地とし、緯度・経度それぞれ受信した検索範囲内に存在する画像データの検索ｓ５０５、ｓ６０６を行う。
【００２５】
該当する画像データが存在した場合、その画像データのサムネイルを携帯電話２００へ送信ｓ５０７、ｓ６０７し、携帯電話２００の表示部２０７に検索結果がサムネイルの形で表示ｓ５０９、ｓ６０９される。該当する画像データが存在しない場合は、再検索を要求するメッセージを携帯電話２００に送信し表示部２０７に表示ｓ５０８させ、見出し文字の選択ｓ５０１、ｓ６０１から処理を再開する。
【００２６】
（実施例２）
実施例１では、画像データと位置データを関連付けて保存する際に、シャッタスイッチ１０６を押し、撮影を行う度にデジタルカメラ１００から携帯電話２００に対して位置データの取得要求を行っているが、撮影の度にではなくデジタルカメラ１００のメインスイッチ１１０をＯＮにする度に位置データ取得要求を行うことも可能である。
【００２７】
図１０はデジタルカメラ１００の機能構成図である。デジタルカメラ１００は、制御部（ＣＰＵ）８０１と、撮像部８０２と、信号処理部８０３と、システムメモリ８０７と、フレームメモリ８０４と、圧縮伸張処理部８０９と、Ｄ／Ａ変換部８０５と、カレンダ時計８０８と、表示パネル（ＬＣＤ）８０６と、モードダイアル１１１と、シャッタスイッチ１０６と、単写／連写スイッチ１０７と、圧縮モードスイッチ１０８と、操作部１０９と、メインスイッチ１１０と、通信手段１０２と、アンテナ１０３を有する。
【００２８】
図１１は本実施例における画像データと位置データを関連付けて保存する手段のフローチャートである。
【００２９】
以下に本実施例の具体的な動作について説明を行う。
【００３０】
見出し文字の入力及び見出し文字・位置データ対応テーブルの作成は実施例１と同様で図２に従って行う。画像データと位置データを関連付けて保存する際、図１１に示すようにデジタルカメラ１００のメインスイッチ１１０が押されＯＮになった場合ｓ４１１、実施例１と同様にデジタルカメラ１００は携帯電話２００に対して位置データの要求ｓ４１２を行い、位置データの受信ｓ４１３に成功すると位置データをデータ構造のヘッダ領域に追加ｓ４１４することにより、処理を行う。尚、画像データ検索については実施例１と同様である。
【００３１】
（実施例３）
画像データと位置データを関連付けて保存する際に、利用者の操作により任意の時点でデジタルカメラ１００から携帯電話２００に対して位置データの取得要求を行うことも可能である。
【００３２】
図１２は本実施例におけるデジタルカメラ１００の機能構成図である。実施例２との差異は位置データ要求ボタン８１１が追加されたことである。
【００３３】
図１３は本実施例における画像データと位置データを関連付けて保存する手段のフローチャートである。
【００３４】
以下に本実施例の具体的な動作について説明を行う。
【００３５】
見出し文字の入力及び見出し文字・位置データ対応テーブルの作成は実施例１と同様で図２に従って行う。画像データと位置データを関連付けて保存する際、図１３に示すようにデジタルカメラ１００の位置データ要求ボタン８１１が押されＯＮになった場合ｓ４２１、実施例１と同様にデジタルカメラ１００は携帯電話２００に対して位置データの要求ｓ４２２を行い、位置データの受信ｓ４２３に成功すると位置データをデータ構造のヘッダ領域に追加ｓ４２４することにより、処理を行う。尚、画像データ検索については実施例１と同様である。
【００３６】
【発明の効果】
以上説明したように、携帯端末と撮像装置が各々近距離無線通信機能を有し、携帯端末に位置データ取得手段を持たせることにより、コスト及び筐体サイズ増加の問題を軽減することができ、また、携帯端末において撮影場所のキーワードとなる見出し文字を入力する手段と、その際、撮影場所の位置データをＧＰＳ衛星から取得し、先に入力した見出し文字と対応付けて携帯端末に見出し文字・位置データ対応テーブルとして保存する手段を持つ構成により、利用者に緯度・経度の煩雑な数値データを意識させず、扱いやすい見出し文字を用いて位置データを利用することができるといった効果が得られる。
【００３７】
また、撮影時、撮像装置の電源がＯＮになった時、利用者が位置データ取得操作を行った時に撮像装置から携帯端末へ位置データを要求し、要求を受けた携帯端末が位置データをＧＰＳ衛星から取得し、それを撮像装置へ近距離無線通信を用いて送信する手段、撮像装置において携帯端末から位置データが送られてきた場合に、画像データのヘッダ領域に撮影場所の位置データを追記することにより、位置データと画像データを関連付けて記憶媒体に保存する手段を持つ構成により、常に撮影場所の正確な位置データを画像データと関連付けて保存することができるといった効果が得られる。
【００３８】
また、位置データと画像データが関連付けて保存されており、画像データを検索する場合、携帯端末において、保存されている見出し文字から検索する見出し文字を選択し、見出し文字を利用して撮影位置による画像データ検索を行うことにより、利用者に操作しやすいインターフェイスを提供することができる。さらに、検索時において選択された見出し文字に対応する位置データを中心地とし、そこから緯度・経度とも、設定範囲内に存在する画像データを検索結果とし、希望する検索結果が得られない場合は設定範囲を変更することにより、希望通りの検索結果を得ることができる。
【００３９】
また、撮像装置から携帯端末へ近距離無線通信を用いて検索結果のサムネイルを送信し、携帯端末で表示させる手段を持つことにより、画像データの一覧を一度に入手でき、さらにその中から必要な画像データを選択し、実データを取得することにより、撮像装置と携帯端末間の通信負荷を軽減することができるといった効果が得られる。
【図面の簡単な説明】
【図１】本発明を実施したシステムの構成図
【図２】本発明を実施した携帯電話における見出し文字入力時のフローチャート
【図３】本発明を実施したデジタルカメラにおける位置データ要求、及び画像データと位置データを関連付けて保存する時のフローチャート
【図４】見出し文字を用いた位置データによる画像データ検索のフローチャート
【図５】そのシーケンスチャート
【図６】本発明において携帯電話で見出し文字を入力する際の画面例
【図７】本発明において携帯電話内に作成される、見出し文字・位置データ対応テーブル
【図８】デジタルカメラの記憶媒体のデータ構造、
【図９】本発明の画像データ検索時において携帯電話での操作画面例
【図１０】実施例２におけるデジタルカメラの機能構成図、
【図１１】実施例２におけるデジタルカメラの位置データ要求、及び画像データと位置データを関連付けて保存する時のフローチャート
【図１２】実施例３におけるデジタルカメラの機能構成図
【図１３】実施例３におけるデジタルカメラの位置データ要求、及び画像データと位置データを関連付けて保存する時のフローチャート
【符号の説明】
２００…携帯電話
７０１…携帯電話における見出し文字入力時の画面例
７０２…携帯電話における画像データ検索時の画面例
【図１】
2004159048.tif 000003
【図２】
2004159048.tif 000004
【図３】
2004159048.tif 000005
【図４】
2004159048.tif 000006
【図５】
2004159048.tif 000007
【図６】
2004159048.tif 000008
【図７】
2004159048.tif 000009
【図８】
2004159048.tif 000010
【図９】
2004159048.tif 000011
【図１０】
2004159048.tif 000012
【図１１】
2004159048.tif 000013
【図１２】
2004159048.tif 000014
【図１３】
2004159048.tif 000015